(57)【要約】【課題】円弧軌跡で回動するハンマーにより押圧される鍵スイッチのスイッチ本体内の複数のスイッチの可動接点がそれぞれ固定接点に接触するときの接触状態を良好にし、電気的タッチ・センシング動作を安定にすること。【解決手段】ハンマー２の押圧面２ｂと鍵スイッチ３の被押圧面３ｂは、ハンマー２の長手方向において、相対的に凹形状を有する。ハンマー２によりスイッチ本体３ａが押圧されたとき、相対的な凹形状に起因するスイッチ本体３ａの部分的な圧縮変形による傾きにより、スイッチ本体３ａがハンマー２により斜め方向から押圧されたことに起因するスイッチ本体３ａの全体的な湾曲による傾きが打ち消され、スイッチ本体内の可動接点３ｈ−１〜３ｈ−３はそれぞれ、固定接点３ｇ−１〜３ｇ−３に正対して接触する。【選択図】図３
2020134673.tif 000002
【特許請求の範囲】
【請求項１】
揺動自在の鍵と、
所定形状の押圧面を有し、前記鍵の押鍵に伴って円弧軌跡をとって回動するハンマーと、
前記鍵の押鍵情報を検出するための鍵スイッチを備え、
前記鍵スイッチは、
複数の固定接点が設けられた基板と、
被押圧面を有し、弾性材で構成され、前記複数の固定接点を覆うように前記基板に取り付けられた中空状のスイッチ本体と、
前記スイッチ本体の内部に設けられ、前記複数の固定接点に互いに異なる間隔を隔てて対向し、前記鍵の押鍵に伴って前記ハンマーにより前記スイッチ本体が押圧されたときに、前記複数の固定接点に順にそれぞれ接触する複数の可動接点を有し、
前記押圧面と前記被押圧面が、ハンマーの長手方向において、相対的に凹形状を有しており、前記ハンマーにより前記スイッチ本体が押圧されたとき、前記相対的な凹形状に起因する前記スイッチ本体の部分的な圧縮変形による傾きによって、前記スイッチ本体が前記ハンマーにより斜め方向から押圧されたことに起因する前記スイッチ本体の全体的な湾曲による傾きが打ち消され、前記複数の可動接点が前記複数の固定接点に正対して接触することを特徴とする電子鍵盤楽器の鍵盤装置。
【請求項２】
前記複数の可動接点がそれぞれ複数の固定接点に接触するよりも前に、前記押圧面が全面的に前記被押圧面に密着することを特徴とする請求項１に記載の電子鍵盤楽器の鍵盤装置。
【請求項３】
前記複数の可動接点および前記複数の固定接点の数がそれぞれ、３以上であることを特徴とする請求項１または２に記載の電子鍵盤楽器の鍵盤装置。
【請求項４】
前記ハンマーは、前記スイッチ本体側にリブを有することを特徴とする請求項１〜３のいずれか１つに記載の電子鍵盤楽器の鍵盤装置。
【発明の詳細な説明】
【技術分野】
【０００１】
本発明は、電子鍵盤楽器の鍵盤装置に関し、特に、鍵が押鍵されたときの押鍵情報を検出するための鍵スイッチにおける複数のスイッチの複数の可動接点がそれぞれ固定接点に接触するときの接触状態が良好であり、電気的タッチ・センシング動作が安定にされた電子鍵盤楽器の鍵盤装置に関する。
【背景技術】
【０００２】
電子鍵盤楽器の鍵盤装置は、複数の鍵と、鍵が押鍵されたときの押鍵情報を検出する鍵タッチ・センシング構成を備えている。電気的な鍵タッチ・センシング構成は、鍵ごとに設けられたハンマーおよびハンマーを回動自在に支持する手段から成る鍵盤機構可動部と、鍵スイッチを備えている。
【０００３】
鍵スイッチは、中空ドーム形状のスイッチ本体と、スイッチ本体内に設けられた複数のスイッチを備え、複数のスイッチはそれぞれ、可動接点と固定接点を有している。
【０００４】
鍵の押鍵に伴ってハンマーが回動すると、その回動に伴って鍵スイッチのスイッチ本体が押圧され、その内部の複数のスイッチの複数の可動接点がそれぞれ固定接点に接触する。この接触を表す検出信号を検出し、その検出信号の有無に基づいて鍵の押鍵を検出することができ、複数の検出信号の時間差に基づいて押鍵の押鍵速度などを検出することができる。
【０００５】
図５は、従来の鍵タッチ・センシング構成でのハンマーと鍵スイッチの位置関係を示す説明図である。また、図６は、ハンマーがリブを有する構成でのハンマーと鍵スイッチの位置関係を示す説明図である。なお、ここでは、１つの鍵に対するハンマーと鍵スイッチの位置関係を示している。
【０００６】
図５および図６に示すように、鍵タッチ・センシング構成は、鍵ごとに設けられているハンマー２と鍵スイッチ３を備えている。ハンマー２は、その回動に伴って鍵スイッチ３を押圧する押圧面２ｂを有し、鍵スイッチ３は、ハンマー２によって押圧される被押圧面３ｂを有している。なお、図６に示されているように、ハンマー２がリブ２ｄを有している構成では、リブ２ｄの先端を結んで形成される面が押圧面になる。
【０００７】
特許文献１には、鍵スイッチの被押圧面がハンマーの押圧面と同一の形状を有し、スイッチ本体内の複数のスイッチの可動接点がそれぞれ固定接点に接触した後、ハンマーの回動が終了したときに、ハンマーの押圧面が鍵スイッチの被押圧面の向きに合致するようにした電子鍵盤楽器の鍵盤装置が記載されている。
【先行技術文献】
【特許文献】
【０００８】
【特許文献１】特許第５６２４７７２号（特開２０１１−１５０２４５公報）
【発明の概要】
【発明が解決しようとする課題】
【０００９】
従来の鍵スイッチにおいては、その被押圧面がハンマーの押圧面と同一の形状を有するように設計されている。それは、ハンマーの回動に伴ってハンマーの押圧面が鍵スイッチの被押圧面に密着してから、ハンマーが鍵スイッチを垂直方向に押圧するようにするためである。
【００１０】
しかし、ハンマーは、一般的に、それを支持する支点を中心とした円弧軌跡をとって回動するので、ハンマーの押圧面が鍵スイッチの被押圧面に正対するのは、ある一瞬だけであり、したがって、ハンマーが鍵スイッチを垂直方向に押圧するのは、ある一瞬だけである。
【００１１】
円弧軌跡をとって回動するハンマーは、鍵スイッチに接触し始めるとき、鍵スイッチの片側から斜めに当接し、その回動に伴って鍵スイッチを斜め方向から押圧する。この斜め方向からの押圧により鍵スイッチのスイッチ本体は全体的に湾曲して傾き、これにより、スイッチ本体内の複数のスイッチの複数の可動接点はそれぞれ、固定接点に斜めに接触する。
【００１２】
図７は、従来の鍵盤装置のハンマーと、鍵スイッチと、その周辺部を拡大して示す側断面図であり、円弧軌跡をとって回動するが鍵スイッチに接触し始めたときの状態を示している。また、図８は、従来の鍵盤装置のハンマーと、鍵スイッチと、その周辺部を拡大して示す側断面図であり、ハンマーによって押圧されたスイッチ本体が全体的に湾曲して傾き、スイッチ本体内のスイッチの可動接点が固定接点に斜めに接触するときの状態を示している。
【００１３】
図７および図８に示されているように、ハンマー２は、ハンマー本体２ａと、スイッチ押圧部２ｃを備え、スイッチ押圧部２は、押圧面２ｂを有している。鍵スイッチ３は、下方に開放する中空ドーム形状のスイッチ本体３ａを備えている中空ドーム構造であり、スイッチ本体３ａは、被押圧面３ｂを有している。ここで、鍵スイッチ３の被押圧面３ｂは、ハンマー２の押圧面２ｂと同一の形状を有している。
【００１４】
また、スイッチ本体３ａの内部には、複数のスイッチ３ｃ−１〜３ｃ−３が設けられ、スイッチ３ｃ−１〜３ｃ−３はそれぞれ、可動接点と固定接点を有している。鍵スイッチ２は、プリント基板（基板）に取り付けられている。
【００１５】
ハンマー２は、その支点を中心とした円弧軌跡をとって回動するので、鍵スイッチ３に接触し始めるとき、その片側から斜めに当接する。図７は、このときの状態を示している。
【００１６】
円弧軌跡をとって回動するハンマー２は、その回動に伴って鍵スイッチ３を斜め方向から押圧するので、鍵スイッチ３のスイッチ本体３ａは、全体的に湾曲する。これにより、スイッチ本体３ａ内の複数のスイッチ３ｃ−１〜３ｃ−３の可動接点はそれぞれ、固定接点に斜めに接触する。図８は、このときの状態を示している。
【００１７】
複数のスイッチ３ｃ−１〜３ｃ−３の可動接点がそれぞれ固定接点に斜めに接触するときの接触面積は少なく、したがって、接触抵抗が大きく、これにより、電気的タッチ・センシング動作が不安定になるという課題がある。
【００１８】
特許文献１に記載されている電子鍵盤楽器の鍵盤装置は、複数の可動接点と複数の固定接点の接触を安定にするものであるが、これは、回動量が最大になるハンマーの回動の終了時に、スイッチ本体の傾きをなくして可動接点が固定接点に対して接触後にずれたり外れたりするのをなくすものであり、円弧軌跡をとって回動するハンマーにより鍵スイッチが斜め方向から押圧されたときに、スイッチ本体内の複数の可動接点がそれぞれ固定接点に斜めに接触するという、可動接点と固定接点の接触状態を問題にしていない。
【００１９】
本発明は、上記の課題を解決し、円弧軌跡をとって回動するハンマーによって押鍵される鍵スイッチのスイッチ本体内の複数のスイッチの複数の可動接点がそれぞれ固定接点に接触するときの接触状態が良好であり、電気的タッチ・センシング動作が安定にされた電子鍵盤楽器の鍵盤装置を提供することを目的としている。
【課題を解決するための手段】
【００２０】
上記目的を達成するため、本発明の電子鍵盤楽器の鍵盤装置は、揺動自在の鍵と、所定形状の押圧面を有し、前記鍵の押鍵に伴って円弧軌跡をとって回動するハンマーと、前記鍵の押鍵情報を検出するための鍵スイッチを備え、前記鍵スイッチが、複数の固定接点が設けられた基板と、被押圧面を有し、弾性材で構成され、前記複数の固定接点を覆うように前記基板に取り付けられた中空形状のスイッチ本体と、前記スイッチ本体の内部に設けられ、前記複数の固定接点に互いに異なる間隔を隔てて対向し、前記鍵の押鍵に伴って前記ハンマーにより前記スイッチ本体が押圧されたときに、前記複数の固定接点に順にそれぞれ接触する複数の可動接点を有し、前記押圧面と前記被押圧面が、前記ハンマーの長手方向において、相対的に凹形状に形成され、前記ハンマーにより前記スイッチ本体が押圧されたとき、前記相対的な凹形状に起因する前記スイッチ本体の部分的な圧縮変形による傾きによって、前記スイッチ本体が前記ハンマーにより斜め方向から押圧されたことに起因する前記スイッチ本体の全体的な湾曲による傾きが打ち消され、前記複数の可動接点が前記複数の固定接点に正対して接触することを特徴としている。
【００２１】
ここで、前記複数の可動接点がそれぞれ複数の固定接点に接触するよりも前に、前記押圧面が全面的に前記被押圧面に密着するようにすることが好ましい。
【００２２】
また、前記複数の可動接点と前記複数の固定接点の数がそれぞれ３以上であることも好ましい。また、前記ハンマーは、前記スイッチ本体側にリブを有していてもよい。
【発明の効果】
【００２３】
本発明によれば、ハンマーによりスイッチ本体が押圧されたとき、ハンマーの押圧面と鍵スイッチの被押圧面が、ハンマーの長手方向において、相対的に凹形状を有することに起因するスイッチ本体が部分的に圧縮変形して傾き、この部分的な圧縮変形による傾きによって、スイッチ本体がハンマーにより斜め方向から押圧されたことに起因するスイッチ本体の全体的な湾曲による傾きが打ち消され、複数の可動接点が複数の固定接点に正対して接触するので、鍵スイッチのスイッチ本体内の複数のスイッチの複数の可動接点がそれぞれ固定接点に接触するときの接触状態を良好にし、電気的タッチ・センシング動作を安定にすることができ、この効果は、複数の可動接点と複数の固定接点の数がそれぞれ３つ以上である場合に顕著である。
【００２４】
また、前記複数の可動接点がそれぞれ複数の固定接点に接触するよりも前に、前記押圧面が全面的に前記被押圧面に密着するようにすることにより、スイッチ本体を安定状態にして、複数の可動接点がそれぞれ固定接点に接触するまでの押鍵ストロークを、押鍵速度によらず一定にすることができる
【図面の簡単な説明】
【００２５】
【図１】本発明の電子鍵盤楽器の鍵盤装置の一実施形態を示す側断面図であり、電子鍵盤楽器が電子ピアノであり、鍵が押鍵されていない離鍵状態にある場合を示している。
【図２】図１の鍵盤装置のハンマーと、鍵スイッチと、その周辺部を拡大して示す側断面図であり、ハンマーの回動に伴ってハンマーが鍵スイッチに接触し始めたときの状態を示している。
【図３】図１の鍵盤装置のハンマーと、鍵スイッチと、その周辺部を拡大して示す側断面図であり、ハンマーの回動に伴ってハンマーの先端側が鍵スイッチに接触したときの状態を示している。
【図４】図１の鍵盤装置のハンマーと、鍵スイッチと、その周辺部を拡大して示す側断面図であり、ハンマーの押圧面が鍵スイッチの被押圧面に密着し、ハンマーが鍵スイッチを全体的に押圧したときの状態を示している。
【図５】従来の鍵タッチ・センシング構成でのハンマーと鍵スイッチの位置関係を示す説明図である。
【図６】ハンマーがリブを有する構成でのハンマーと鍵スイッチの位置関係を示す説明図である。
【図７】従来の鍵盤装置のハンマーと、鍵スイッチと、その周辺部を拡大して示す側断面図であり、円弧軌跡をとって回動するが鍵スイッチに接触し始めたときの状態を示している。
【図８】従来の鍵盤装置のハンマーと、鍵スイッチと、その周辺部を拡大して示す側断面図であり、ハンマーによって押圧されたスイッチ本体が全体的に湾曲して傾き、スイッチ本体内のスイッチの可動接点が固定接点に斜めに接触するときの状態を示している。
【発明を実施するための形態】
【００２６】
以下、図１〜４を参照しながら、本発明を説明する。なお、図１〜４において、図５〜図８に示されている部分と同一あるいは対応する部分には同一の符号を付している。
【００２７】
図１は、本発明の電子鍵盤楽器の鍵盤装置の一実施形態を示す側断面図であり、電子鍵盤楽器が電子ピアノであり、鍵が押鍵されていない離鍵状態を示している。
【００２８】
図１に示されているように、鍵盤装置１は、ハンマー２と、鍵スイッチ３と、鍵４と、鍵盤シャーシ５を備えている。ハンマー２は、回動自在に、鍵盤シャーシ５に取り付けられ、鍵４は、揺動自在に、鍵盤シャーシ５に取り付けられている。鍵４（白鍵４ａ、黒鍵４ｂ）は、その並び方向（紙面と垂直方向）に、例えば８８個設けられている。ハンマー２および鍵スイッチ３は、１つの白鍵４ａに対し、また、１つの黒鍵４ｂに対し、１組ずつが設けられている。
【００２９】
以下では、白鍵４ａに対して備えている構成について説明するが、黒鍵４ｂに対しても同様の構成を備えている。
【００３０】
鍵盤シャーシ５は、前シャーシ１１と、中シャーシ１２と、後シャーシ１３から構成されている。シャーシ１１〜１３は、合成樹脂（例えばＡＢＳ樹脂）の射出成型などで形成され、前後方向に延びるリブで互いに連結され、また、左右方向（鍵の並び方向）にそれぞれ延びる、前側、中央および後ろ側の取り付けレール１４〜１６を介して、電子ピアノの棚板に載置され、固定されている。
【００３１】
前シャーシ１１には、白鍵４ａごとに、上下方向に貫通する左右２つの係合孔１１ａが形成され、係合孔１１ａの前側の下面には、フェルトなどから成る鍵ストッパ１１ｂが取り付けられている。
【００３２】
中シャーシ１２には、ハンマー２を支持するための、左右両側に突出する軸状のハンマー支点１２ａが設けられている。
【００３３】
後シャーシ１３には、白鍵４ａを支持するための軸穴状の鍵支点１３ａが設けられ、鍵支点１３ａの後側の下面には、フェルトなどから成るハンマーストッパ１３ｂが取り付けられている。
【００３４】
白鍵４ａは、合成樹脂（例えばＡＳ）の射出成形などで、下方に開放する中空形状に形成され、前方に延びている。白鍵４ａの後端部には、左右両側に突出する支点軸１７が設けられ、白鍵４ａは、支点軸１７を鍵支点１３ａに係合させることによって、揺動自在に、後シャーシ１３に支持されている。
【００３５】
白鍵４ａの前端部には、左右一対のフック部１８が設けられ、フック部１８は、左右の側壁から前シャーシ１１の係合孔１１ａを通って下方に延び、さらに係合孔１１ａの下端から前方に屈曲している。
【００３６】
白鍵４ａの離鍵状態では、フック部１８が前シャーシ１１の鍵ストッパ１１ｂに下方から当接し、白鍵４ａの上限位置が規制される。また、白鍵４ａの下面には、フック部１８よりも後方の位置に、下方に突出するアクチュエータ部１９が設けられている。
【００３７】
ハンマー２は、ハンマー本体２ａと、ハンマー本体２ａに取り付けられた錘２０で構成されている。ハンマー本体２ａは、合成樹脂（例えばＰＯＭ（ポリアセタール））の射出成型などで形成され、前後方向に延び、その中心よりも若干、前側の位置に、下方に開放するＵ字状の軸孔２ｅを有している。ハンマー２は、軸孔２ｅがハンマー支点１２ａに係合することによって、回動自在に、中シャーシ１２に支持されている。
【００３８】
ハンマー本体２ａの軸孔２ｅよりも前側には、上方および前方に開放する係合凹部２ｆが形成されている。白鍵４ａのアクチュエータ部１９は、係合凹部２ｆに収容され、係合凹部２ｆの底部に当接する。ハンマー本体２ａの係合凹部２ｆの鍵スイッチ側には、鍵スイッチ３を押圧するためのスイッチ押圧部２ｃが形成されており、スイッチ押圧部２ｃは、緩やかに下側に湾曲した凸状の押圧面２ｂを有している。
【００３９】
ハンマー本体２ａの後半部の一方の側部は、錘取付け部２ｇになっており、錘取付け部２ｇに錘２０が着脱自在に取り付けられている。錘２０は、ハンマー本体２ａよりも比重の大きな鉄などの金属板で構成され、プレス加工などによって所定形状に形成されている。錘２０は、前後方向に延び、その前半部においてハンマー本体２ａの錘取付け部２ｇに取り付けられるとともに、錘取付け部２ｇから後方に突出し、後シャーシ１３の後端付近まで延びている。
【００４０】
鍵スイッチ３は、プリント基板（基板）６と、白鍵４ａに対してプリント基板６に取り付けられたスイッチ本体３ａを備えている。プリント基板６は、後端部が中シャーシ１２に差し込まれた状態で、前端部が前シャーシ１１にねじ止めされ、前下がりに傾斜するとともに、左右方向に延びている。
【００４１】
図２〜図４は、図１の鍵盤装置１のハンマー２と、鍵スイッチ３と、その周辺部を拡大して示す側断面図である。
【００４２】
ここで、図２は、ハンマー２の回動に伴ってハンマー２が鍵スイッチ３に接触し始めたときの状態を示し、図３は、ハンマー２の先端側が鍵スイッチ３に接触したときの状態を示し、図４は、ハンマー２が全面的に鍵スイッチ３に密着して押圧したときの状態を示している。なお、白鍵４ａの離鍵状態では、ハンマー２は、鍵スイッチ３から離れて上方にある。
【００４３】
図２〜図４に示されているように、鍵スイッチ３のスイッチ本体３ａは、ゴムなどの弾性材で、下方に開放する中空ドーム形状に形成され、被押圧面３ｂを有する被押圧部と周壁部３ｄを一体に有している。
【００４４】
周壁部３ｄの下面には、複数のボス３ｅが形成され、スイッチ本体３ａは、ボス３ｅをプリント基板６の係合孔に差し込むことによって、プリント基板６に取り付けられている。鍵スイッチ３のスイッチ本体３ａの上面は、ハンマー２のスイッチ押圧部２ｃによって押圧される被押圧面３ｂとなっている。
【００４５】
以下では、鍵スイッチ３のスイッチ本体３ａの被押圧部の被押圧面３ｂを、単に、「被押圧面３ｂ」といい、ハンマー２のスイッチ押圧部２ｃの押圧面２ｂを、単に、「押圧面２ｂ」という。
【００４６】
被押圧面３ｂと押圧面２ｂは、従来のように同一の形状でなく、ハンマー２の長手方向（ハンマー２の支点と先端を結ぶ方向）において、相対的に凹形状を有している。なお、「相対的に凹形状」とは、被押圧面３ｂと押圧面２ｂを合わせたとき、真ん中が浮く形状であることを意味している。
【００４７】
スイッチ本体３ａの内部には、１つの白鍵４ａに対して、第１〜第３スイッチ３ｃ−１〜３ｃ−３が設けられ、第１〜第３スイッチ３ｃ−１〜３ｃ−３は、ハンマー支点１２ａに近い側から遠い方に順に、互いに所定の間隔を隔てて、プリント基板６上面に形成された第１〜第３固定接点３ｇ−１〜３ｇ−３を有している。第１〜第３固定接点３ｇ−１〜３ｇ−３は、スイッチ本体３ａによって覆われている。
【００４８】
スイッチ本体３ａの被押圧面３ｂの内側には、スイッチ本体３ａと一体的にプリント基板６側に延びる第１〜第３取付け部３ｆ−１〜３ｆ−３が設けられ、第１〜第３取付け部３ｆ−１〜３ｆ−３は、スイッチ本体３ａと同様に、ゴムなどの弾性材で構成され、第１取付け部３ｆ−１は、第２取付け部３ｆ−２より若干長く、第２取付け部３ｆ−２は、第３取付け部３ｆ−３より若干長く形成されている。
【００４９】
また、第１〜第３取付け部３ｆ−１〜３ｆ−３の先端にはそれぞれ、第１〜第３可動接点３ｈ−１〜３ｈ−３が取り付けられ、第１〜第３可動接点３ｈ−１〜３ｈ−３はそれぞれ、第１〜第３固定接点３ｇ−１〜３ｇ−３と対をなすように、第１〜第３可動接点３ｈ−１〜３ｈ−３に上方から対向している。
【００５０】
第１可動接点３ｈ−１と第１固定接点３ｇ−１によって第１スイッチ３ｃ−１が構成され、第２可動接点３ｈ−２と第２固定接点３ｇ−２によって第２スイッチ３ｃ−２が構成され、第３可動接点３ｈ−３と第３固定接点３ｇ−３によって第３スイッチ３ｃ−３が構成される。
【００５１】
第１〜第３取付け部３ｆ−１〜３ｆ−３の長さを、上記したように定めることによって、第１〜第３可動接点３ｈ−１〜３ｈ−３と第１〜第３固定接点３ｇ−１〜３ｇ−３の間のそれぞれの間隔は、第１スイッチ３ｃ−１、第２スイッチ３ｃ−２、第３スイッチ３ｃ−３の順に大きくなっている。したがって、ハンマー２の回動に伴って、まず、第１可動接点３ｈ−１が第１固定接点３ｇ−１に接触し、次に、第２可動接点３ｈ−２が第２固定接点３ｇ−２に接触し、最後に、第３可動接点３ｈ−３が第３固定接点３ｇ−３１に接触する。
【００５２】
次に、図１の鍵盤装置１の動作を説明する。
【００５３】
鍵盤装置１において、白鍵４ａの離鍵状態では、図１に示されているように、ハンマー２は、錘２０の重さにより後ろ下がりに傾斜している。
【００５４】
白鍵４ａは、白鍵４ａの押鍵に伴って、図１の反時計方向に揺動し、アクチュエータ部１９は、ハンマー２の係合凹部２ｆの底部を下方の押し、ハンマー２は、反時計方向に回動する。
【００５５】
ハンマー２は、ハンマー支点１２ａを中心とした円弧軌跡を取って回動するので、まず、ハンマー支点１２ａに近い第１可動接点３ｈ−１側のスイッチ本体３ａに当接する。図２は、このときの状態を示している。
【００５６】
白鍵４ａの押鍵の押鍵ストロークに従って、ハンマー２がさらに回動すると、押圧面２ｂと被押圧面３ｂが、ハンマー２の長手方向において、相対的に凹形状を有していることにより、スイッチ本体３ａのうち、主として、第１可動接点３ｈ−１側部分がハンマー２により押圧され、その部分が圧縮変形し、内側に傾く。
【００５７】
このスイッチ本体３ａの部分的な傾きによって、スイッチ本体３ａがハンマー２により斜め方向から押圧されたことに起因するスイッチ本体３ａの全体的な湾曲による傾きが打ち消され、第１可動接点３ｈ−１は、第１固定接点３ｇ−１に接触するとき、正対して接触する。これにより、白鍵４ａが押鍵されたときの押鍵ストロークの早い段階で、第１可動接点３ｈ−１を第１固定接点３ｇ−１に正対させて接触させることができる。
【００５８】
白鍵４ａの押鍵の押鍵ストロークに従って、ハンマー２がさらに回動すると、ハンマー２の先端側もハンマー支点１２ａから遠い第３可動接点３ｈ−３側の鍵スイッチ３に接触する。押圧面２ｂと被押圧面３ｂが、ハンマー２の長手方向において、相対的に凹形状を有していることにより、ハンマー２の支点側と先端側の間の真ん中部分は、鍵スイッチ３に接触しない。図３は、このときの状態を示している。
【００５９】
白鍵４ａの押鍵の押鍵ストロークに従って、ハンマー２がさらに回動すると、スイッチ本体３ａのうちの第３可動接点３ｈ−３側の部分が押圧されて圧縮変形し、部分的に外側に傾く。
【００６０】
白鍵４ａの押鍵の押鍵ストロークに従ってハンマー２がさらに回動すると、押圧面２ｂが被押圧面３ｂに密着し、ハンマー２は、鍵スイッチ３を全体的に押圧する。図４は、押圧面２ｂが被押圧面３ｂに密着し、ハンマー２が鍵スイッチ３を全体的に押圧して第２可動接点３ｈ−２が第２固定接点３ｇ−２に接触したときの状態を示している。
【００６１】
図４に示されている状態では、第３可動接点３ｈ−３は、まだ、第３固定接点３ｇ−３に接触していないが、白鍵４ａの押鍵の押鍵ストロークに従って、ハンマー２がさらに回動すれば、第３可動接点３ｈ−３は、第３固定接点３ｇ−３に接触する。
【００６２】
以上説明したように、第１可動接点３ｈ−１と第１固定接点３ｇ−１の間隔、第２可動接点３ｈ−１と第２固定接点３ｇ−１の間隔、第３可動接点３ｈ−１と第３固定接点３ｇ−１の間隔が順に大きくなっているので、第１可動接点３ｈ−１、第２可動接点３ｈ−２、第３可動接点３ｈ−３は順に、第１固定接点３ｇ−１、第２固定接点３ｇ−２、第３固定接点３ｇ−３に接触する。
【００６３】
白鍵４ａの押鍵の押鍵ストロークに従って、図４に示されているように、第２可動接点３ｈ−２が第１固定接点３ｇ−２に接触し、さらに、第３可動接点３ｈ−３が第３固定接点３ｇ−３に接触する過程においても、ハンマー２によりスイッチ本体３ａが押圧されたとき、押圧面２ｂと被押圧面３ｂが、ハンマー２の長手方向において、相対的に凹形状を有していることにより、スイッチ本体３ａが部分的に圧縮変形して傾き、この傾きによって、スイッチ本体３ａがハンマー２により斜め方向から押圧されたことに起因するスイッチ本体３ａの全体的な湾曲による傾きが打ち消され、第２可動接点３ｈ−２と第３可動接点３ｈ−３はそれぞれ、第２固定接点３ｇ−２と第３固定接点３ｇ−３に接触するとき、正対して接触する。
【００６４】
その後、ハンマー２の後端部がハンマーストッパ１３ｂに当接すると、ハンマー２の回動は、阻止される。
【００６５】
一方、白鍵４ａが離鍵されると、ハンマー２は、図１の時計方向に回動する。白鍵４ａは、ハンマー２の回動に伴って、アクチュエータ部１９を介して押し上げられて時計方向に揺動し、フック部１８が鍵ストッパ１１ｂに当接し、白鍵４ａの揺動が阻止される。これにより、白鍵４ａおよびハンマー２は、図１に示すように、白鍵４ａの離鍵状態に復帰する。
【００６６】
なお、図２〜図４は、ハンマー２の押圧面２ｂが鍵スイッチ３の被押圧面３ｂに全面的に密着するより前に、第１可動接点３ｈ−１が第１固定接点３ｇ−１に接触することを示しているが、第１可動接点３ｈ−１が第１固定接点３ｇ−１に接触するよりも前に、ハンマー２の押圧面２ｂが鍵スイッチ３の被押圧面３ｂに全面的に密着するようにすることも好ましい。この場合、押圧面２ｂが被押圧面３ｂに全面的に密着することによって、スイッチ本体３ａを安定状態にすることできるので、第１〜第３可動接点３ｈ−１〜３ｈ−３がそれぞれ第１〜第３固定接点３ｇ−１〜３ｇ−３に接触するまでの押鍵ストロークを、押鍵速度によらず一定にすることができる。
【００６７】
以上、本発明の実施形態について説明したが、本発明は、上記実施形態に限られるものではなく、本発明の技術的思想の範囲内で、種々の形態によって実施することができる。
【００６８】
例えば、上記実施形態では、電子鍵盤楽器が電子ピアノであるとしたが、本発明は、電子鍵盤楽器が電子ピアノ以外の場合でも有効なものである。
【００６９】
また、鍵スイッチは、複数のスイッチを有するものであればよいが、本発明は、鍵スイッチが３つあるいはそれ以上のスイッチを有する場合に、より効果を発揮する。
【００７０】
また、ハンマーは、図６に示されているように、リブを有するものでもよく、また、ハンマーの押圧面や鍵スイッチの被押圧面は、ハンマーの長手方向において、相対的に凹形状を有すればよく、その限りにおいて、それら形状は任意である。さらに、図１〜図４では、鍵スイッチがハンマーの下方に配置されているが、それらの配置や構成なども任意である。その他、鍵盤装置における細部の構成は、適宜、変更することができる。
【符号の説明】
【００７１】
１・・・鍵盤装置，２・・・ハンマー、２ａ・・・ハンマー本体、２ｂ・・・押圧面、２ｃ・・・スイッチ押圧部、２ｄ・・・リブ、２ｅ・・・軸孔、２ｆ・・・係合凹部、２ｇ・・・錘取付け部、３・・・鍵スイッチ、３ａ・・・スイッチ本体、３ｂ・・・被押圧面、３ｃ−１〜３ｃ−３・・・スイッチ、３ｄ・・・周壁部、３ｅ・・・ボス、３ｆ−１〜３ｆ−３・・・取付け部、３ｇ−１〜３ｇ−３・・・固定接点、３ｈ−１〜３ｈ−３・・・可動接点、４・・・鍵、４ａ・・・白鍵、４ｂ・・・黒鍵、５・・・鍵盤シャーシ、６・・・プリント基板、１１・・・前シャーシ、１１ａ・・・係合孔、１１ｂ・・・鍵ストッパ、１２・・・中シャーシ、１２ａ・・・ハンマー支点、１３・・・後シャーシ、１３ａ・・・鍵支点、１３ｂ・・・ハンマーストッパ、１４〜１６・・・取り付けレール、１７・・・支点軸、１８・・・フック部、１９・・・アクチュエータ部、２０・・・錘
【図１】
2020134673.tif 000003
【図２】
2020134673.tif 000004
【図３】
2020134673.tif 000005
【図４】
2020134673.tif 000006
【図５】
2020134673.tif 000007
【図６】
2020134673.tif 000008
【図７】
2020134673.tif 000009
【図８】
2020134673.tif 000010
【手続補正書】
【提出日】令和2年2月7日(2020.2.7)
【手続補正１】
【補正対象書類名】明細書
【補正対象項目名】００１２
【補正方法】変更
【補正の内容】
【００１２】
図７は、従来の鍵盤装置のハンマーと、鍵スイッチと、その周辺部を拡大して示す側断面図であり、円弧軌跡をとって回動するハンマーが鍵スイッチに接触し始めたときの状態を示している。また、図８は、従来の鍵盤装置のハンマーと、鍵スイッチと、その周辺部を拡大して示す側断面図であり、ハンマーによって押圧されたスイッチ本体が全体的に湾曲して傾き、スイッチ本体内のスイッチの可動接点が固定接点に斜めに接触するときの状態を示している。
【手続補正２】
【補正対象書類名】明細書
【補正対象項目名】００１３
【補正方法】変更
【補正の内容】
【００１３】
図７および図８に示されているように、ハンマー２は、ハンマー本体２ａと、スイッチ押圧部２ｃを備え、スイッチ押圧部２ｃは、押圧面２ｂを有している。鍵スイッチ３は、下方に開放する中空ドーム形状のスイッチ本体３ａを備えている中空ドーム構造であり、スイッチ本体３ａは、被押圧面３ｂを有している。ここで、鍵スイッチ３の被押圧面３ｂは、ハンマー２の押圧面２ｂと同一の形状を有している。
【手続補正３】
【補正対象書類名】明細書
【補正対象項目名】００１４
【補正方法】変更
【補正の内容】
【００１４】
また、スイッチ本体３ａの内部には、複数のスイッチ３ｃ−１〜３ｃ−３が設けられ、スイッチ３ｃ−１〜３ｃ−３はそれぞれ、可動接点と固定接点を有している。鍵スイッチ３は、プリント基板（基板）に取り付けられている。
【手続補正４】
【補正対象書類名】明細書
【補正対象項目名】００２５
【補正方法】変更
【補正の内容】
【００２５】
【図１】本発明の電子鍵盤楽器の鍵盤装置の一実施形態を示す側断面図であり、電子鍵盤楽器が電子ピアノであり、鍵が押鍵されていない離鍵状態にある場合を示している。
【図２】図１の鍵盤装置のハンマーと、鍵スイッチと、その周辺部を拡大して示す側断面図であり、ハンマーの回動に伴ってハンマーが鍵スイッチに接触し始めたときの状態を示している。
【図３】図１の鍵盤装置のハンマーと、鍵スイッチと、その周辺部を拡大して示す側断面図であり、ハンマーの回動に伴ってハンマーの先端側が鍵スイッチに接触したときの状態を示している。
【図４】図１の鍵盤装置のハンマーと、鍵スイッチと、その周辺部を拡大して示す側断面図であり、ハンマーの押圧面が鍵スイッチの被押圧面に密着し、ハンマーが鍵スイッチを全体的に押圧したときの状態を示している。
【図５】従来の鍵タッチ・センシング構成でのハンマーと鍵スイッチの位置関係を示す説明図である。
【図６】ハンマーがリブを有する構成でのハンマーと鍵スイッチの位置関係を示す説明図である。
【図７】従来の鍵盤装置のハンマーと、鍵スイッチと、その周辺部を拡大して示す側断面図であり、円弧軌跡をとって回動するハンマーが鍵スイッチに接触し始めたときの状態を示している。
【図８】従来の鍵盤装置のハンマーと、鍵スイッチと、その周辺部を拡大して示す側断面図であり、ハンマーによって押圧されたスイッチ本体が全体的に湾曲して傾き、スイッチ本体内のスイッチの可動接点が固定接点に斜めに接触するときの状態を示している。
【手続補正５】
【補正対象書類名】明細書
【補正対象項目名】００４９
【補正方法】変更
【補正の内容】
【００４９】
また、第１〜第３取付け部３ｆ−１〜３ｆ−３の先端にはそれぞれ、第１〜第３可動接点３ｈ−１〜３ｈ−３が取り付けられ、第１〜第３可動接点３ｈ−１〜３ｈ−３はそれぞれ、第１〜第３固定接点３ｇ−１〜３ｇ−３と対をなすように、第１〜第３固定接点３ｇ−１〜３ｇ−３に上方から対向している。
【手続補正６】
【補正対象書類名】明細書
【補正対象項目名】００５１
【補正方法】変更
【補正の内容】
【００５１】
第１〜第３取付け部３ｆ−１〜３ｆ−３の長さを、上記したように定めることによって、第１〜第３可動接点３ｈ−１〜３ｈ−３と第１〜第３固定接点３ｇ−１〜３ｇ−３の間のそれぞれの間隔は、第１スイッチ３ｃ−１、第２スイッチ３ｃ−２、第３スイッチ３ｃ−３の順に大きくなっている。したがって、ハンマー２の回動に伴って、まず、第１可動接点３ｈ−１が第１固定接点３ｇ−１に接触し、次に、第２可動接点３ｈ−２が第２固定接点３ｇ−２に接触し、最後に、第３可動接点３ｈ−３が第３固定接点３ｇ−３に接触する。
【手続補正７】
【補正対象書類名】明細書
【補正対象項目名】００６２
【補正方法】変更
【補正の内容】
【００６２】
以上説明したように、第１可動接点３ｈ−１と第１固定接点３ｇ−１の間隔、第２可動接点３ｈ−２と第２固定接点３ｇ−２の間隔、第３可動接点３ｈ−３と第３固定接点３ｇ−３の間隔が順に大きくなっているので、第１可動接点３ｈ−１、第２可動接点３ｈ−２、第３可動接点３ｈ−３は順に、第１固定接点３ｇ−１、第２固定接点３ｇ−２、第３固定接点３ｇ−３に接触する。
【手続補正８】
【補正対象書類名】明細書
【補正対象項目名】００６３
【補正方法】変更
【補正の内容】
【００６３】
白鍵４ａの押鍵の押鍵ストロークに従って、図４に示されているように、第２可動接点３ｈ−２が第２固定接点３ｇ−２に接触し、さらに、第３可動接点３ｈ−３が第３固定接点３ｇ−３に接触する過程においても、ハンマー２によりスイッチ本体３ａが押圧されたとき、押圧面２ｂと被押圧面３ｂが、ハンマー２の長手方向において、相対的に凹形状を有していることにより、スイッチ本体３ａが部分的に圧縮変形して傾き、この傾きによって、スイッチ本体３ａがハンマー２により斜め方向から押圧されたことに起因するスイッチ本体３ａの全体的な湾曲による傾きが打ち消され、第２可動接点３ｈ−２と第３可動接点３ｈ−３はそれぞれ、第２固定接点３ｇ−２と第３固定接点３ｇ−３に接触するとき、正対して接触する。